(57)【要約】【課題】シリンダヘッドにボルトで直付けされる排気ターボ過給機において、ボルトの本数を抑制しつつ高い強度と汎用性とを向上させる。【手段】排気ターボ過給機は、タービンハウジング１とコンプレッサハウジング２と軸受ハウジング３とを有しており、タービンハウジング１に設けた排気ガス導入通路１５に、逆三角形状の上流フランジ１６が設けられている。上流フランジ１６は、上２本、下１本のボルト４０によってシリンダヘッド１４に締結されている。上２本のボルト４０はタービンハウジング１を挟んだ両側に位置している。このため、高い締結強度を確保できると共に、タービンハウジング１の設計の自由性が高くて汎用性に優れている。【選択図】図５
2020197154.tif 000002
【特許請求の範囲】
【請求項１】
略水平状に配置された回転軸の一端部に固定されたタービン翼を内蔵したタービンハウジングと、前記回転軸の他端部に固定されたコンプレッサ翼を内蔵したコンプレッサハウジングと、前記タービンハウジングとコンプレッサハウジングとの間に位置した軸受ハウジングとを有しており、
前記タービンハウジングに、シリンダヘッドの排気側面にボルトで固定される上流フランジが設けられており、前記上流フランジに、当該上流フランジを固定するための３つのボルト挿通穴が形成されている構成であって、
前記上流フランジにおける３つのボルト挿通穴は、前記シリンダヘッドの排気側面と直交した方向から見て、前記軸受ハウジングの上方に位置した上側インサイドボルト挿通穴と、前記タービンハウジングを挟んで軸受ハウジングと反対側でかつ前記回転軸の軸心よりも上に位置した上側アウトサイドボルト挿通穴と、前記タービンハウジングの下方に位置した下側ボルト挿通穴とから成っている、
排気ターボ過給機。
【発明の詳細な説明】
【技術分野】
【０００１】
本願発明は、内燃機関に使用される排気ターボ過給機に関するものである。
【背景技術】
【０００２】
自動車用の内燃機関を初めとして、出力向上等を目的として排気ターボ過給機を装備することが行われている。この場合、シリンダヘッドの排気構造は、シリンダヘッドの排気側面に各気筒に対応した数の排気ガス出口を設けて、各排気ガス出口から排出された排気ガスを排気マニホールドに集合させる態様と、シリンダヘッドの内部に排気集合通路を形成して、シリンダヘッドの排気側面には１つの排気ガス出口が開口している態様とがある。
【０００３】
そこで、前者の態様では、排気ターボ過給機は排気マニホールドの集合部に締結されて、後者の態様で、排気ターボ過給機はシリンダヘッドの排気側面に直付けされており、近年、熱効率の向上や軽量化・コンパクト化等の点から、排気集合通路をシリンダヘッドの内部に形成して、シリンダヘッドの排気側面に排気ターボ過給機を直付けする構造が増加していると云える。
【０００４】
いずれにしても、排気ターボ過給機は、略水平状に配置された回転軸の一端部に固定されたタービン翼を内蔵したタービンハウジングと、前記回転軸の他端部に固定されたコンプレッサ翼を内蔵したコンプレッサハウジングと、前記タービンハウジングとコンプレッサハウジングとの間に位置した軸受ハウジングとを有しており、タービンハウジングに設けた上流フランジがボルトでシリンダヘッド又は排気マニホールドに固定されている。従って、タービンハウジングの上流フランジには複数のボルト挿通穴が開口している。
【０００５】
なお、上流フランジをボルトでシリンダヘッドに固定する場合、頭付きボルトのみで締結することも可能であるが、一般には、シリンダヘッドにスタッドボルトを取り付けて、スタッドボルトにナットをねじ込んで締結している（スタッドボルトと頭付きボルトとを併用することもある。）。
【０００６】
排気ターボ過給機の上流フランジをシリンダヘッド又は排気マニホールドにボルトで固定する場合、上部と下部とを２か所ずつ固定する４点締結構造と、上部を１本、下部を２本のボルトで締結する３点締結構造と、特許文献１に開示されているように、上部を２本、下部を１本のボルトで締結する３点締結構造とがあり、３点締結構造は４点締結構造に比べてコストダウンできる利点がある。
【０００７】
更に、上流フランジには、排気ターボ過給機の重量が作用しており、この重量は、上流フランジに対して、その下端を支点にしてシリンダヘッドから倒すようなモーメントとして作用するため、３点締結構造のうち、特許文献１のように上部を２本、下部を１本のボルトで締結する方式を採用すると、モーメントに対する抵抗が高くて締結強度に優れている利点がある。
【先行技術文献】
【特許文献】
【０００８】
【特許文献１】特開２０１６−１４２３８７号公報
【発明の概要】
【発明が解決しようとする課題】
【０００９】
さて、排気ターボ過給機のタービンハウジングは、タービン翼を駆動する排気ガスが流れるタービンスクロール室と、排気ガスをタービンスクロール室に送り込む排気ガス導入通路とを有しており、排気ガス導入通路の先端に上流フランジが一体的に設けられている。そして、タービンスクロール室については、排気ガス導入通路を通過した排気ガスが下方に流れてタービンスクロール室に入る下巻きのタイプと、排気ガス導入通路を通過した排気ガスが上方に流れてタービンスクロール室に入る上巻きのタイプとがある。
【００１０】
そして、特許文献１の排気ターボ過給機はタービンスクロール室が上巻きになっているタイプであり、排気ガス導入通路は、タービンスクロール室が形成されている部分の下方に位置している。そこで、上流フランジの３つのボルト挿通穴は、シリンダヘッドの排気側面と直交した方向から見て、排気ガス導入通路を挟んだ左右２か所に開口した２つの上部ボルト挿通穴と、排気ガス導入通路の下方に位置した１つの下部ボルト挿通穴とから成っている。
【００１１】
特許文献１では、排気ターボ過給機が上巻きであることを利用して、上２点の３点締結構造を採用していると推測され、汎用性に欠けると云える。
【００１２】
本願発明はこのような現状を改善すべく成されたものであり、上２本・下１本のボルトで締結する３点締結構造を採用することは特許文献１と共通しつつ、シリンダヘッドへの直付けに好適に具体化できる構造を提供せんとするものである。 
【課題を解決するための手段】
【００１３】
本願発明の排気ターボ過給機は、
「略水平状に配置された回転軸の一端部に固定されたタービン翼を内蔵したタービンハウジングと、前記回転軸の他端部に固定されたコンプレッサ翼を内蔵したコンプレッサハウジングと、前記タービンハウジングとコンプレッサハウジングとの間に位置した軸受ハウジングとを有しており、
前記タービンハウジングに、シリンダヘッドの排気側面にボルトで固定される上流フランジが設けられており、前記上流フランジに、当該上流フランジを固定するための３つのボルト挿通穴が形成されている」
という基本構成になっている。
【００１４】
そして、上記基本構成において、
「前記上流フランジにおける３つのボルト挿通穴は、前記シリンダヘッドの排気側面と直交した方向から見て、前記軸受ハウジングの上方に位置した上側インサイドボルト挿通穴と、前記タービンハウジングを挟んで軸受ハウジングと反対側でかつ前記回転軸の軸心よりも上に位置した上側アウトサイドボルト挿通穴と、前記タービンハウジングの下方に位置した下側ボルト挿通穴とから成っている」
という構成が付加されている。
【００１５】
本願発明の排気ターボ過給機は、タービンスクロール室が下巻きになっているタイプと上巻きになっているタイプとのいずれにも適用できる。下巻き方式の排気ターボ過給機では、排気ガス導入通路がシリンダヘッドの排気側面と直交した姿勢になっていることが多いが、実施形態のように、排気ガス導入通路を、シリンダヘッドの排気側面と直交し基準線（垂線）に対して、シリンダヘッドから遠ざかるに従って高くなるように上向きに傾斜させることにより、タービンスクロール室の高さを高くすることができる。
【００１６】
そして、内燃機関の高さ抑制等の観点から排気ターボ過給機のタービンスクロール室は下巻きが多い一方、排気ガスの浄化性能向上要求から触媒ケースは大型化しているが、タービンスクロール室を下巻きのままで高くできると、内燃機関の高さを高くすることなく触媒ケースの大型化に対応できる利点がある。
【００１７】
更に、タービンスクロール室を下巻きのままで高くできると、上流フランジが下方に露出する量を少なくできるため、上流フランジのコンパクト化にも貢献できる。 
【発明の効果】
【００１８】
特許文献１のように排気ターボ過給機が排気マニホールドに固定されていると、シリンダヘッドと排気ターボ過給機との距離が大きくなるため、内燃機関が大型化すると共に、排気ターボ過給機の重量がシリンダヘッドにモーメントとして作用する負荷が大きくなる問題があるが、本願発明では、排気ターボ過給機はシリンダヘッドに直付けされているため、内燃機関をコンパクト化できると共に、排気ターボ過給機の重量がシリンダヘッドに作用する負荷を低減できる。
【００１９】
また、上流フランジは、上側の２本のボルトと下側の１本のボルトとの３本で締結されているため、ボルトの本数を抑制しつつ、排気ターボ過給機の倒れに対する高い抵抗力を保持して、高い締結強度を維持できる。
【００２０】
また、タービンハウジングや軸受ハウジングに冷却水ジャケットを設けることがあり、この場合、上流フランジが下２本のボルトで締結されていると、ホースがボルト（スタッドボルトの場合はボルトとナット）に近接して熱害を受けやすくなることがあるが、本願発明では下ボルトは１本であるため、ホースがボルトから受ける熱量を抑制できる。従って、ホースが熱害を受けることを抑制できる。
【００２１】
そして、上側の２本のボルトのうち上側アウトサイドボルト挿通穴に挿通するボルトは、タービンハウジングを挟んで軸受ハウジングと反対側に位置しているため、タービンハウジングの高さを任意に設定することができて、設計の自由性を向上できて汎用性に優れている。
【００２２】
また、排気ターボ過給機は回転軸の軸心方向に長い形態になっており、重心は軸受ハウジングのあたりに位置しているのに対して、上流フランジはタービンハウジングに設けているため、排気ターボ過給機は、自重により、上流フランジの中央部を支点として振れ動くような作用を受けるが、本願発明では、上２本のボルトの間に必要な間隔を取ることができるため、排気ターボ過給機が上流フランジの回りに振れ動こうとすることに起因した負荷をしっかりと抑止できる。この面でも、高い締結強度を確保できる。
【００２３】
自動車用内燃機関では、機関の振動や自動車の走行による振動によって排気ターボ過給機の振動も大きくなり、このため、シリンダヘッドのうち上流フランジの取り付け箇所に大きな負荷が作用するが、本願発明では、上記のように高い締結強度を確保できるため、排気ターボ過給機の振動によってシリンダヘッドにひずみが発生することを、著しく抑制できる。従って、自動車用内燃機関の排気ターボ過給機に好適である。
【００２４】
既述のように、タービンスクロール室を下巻きとしつつ、排気ガス導入通路を基準線に対して上向きに傾斜させると、内燃機関の高さを高くすることなく触媒ケースの大型化に対応できると共に、上流フランジの上下高さをできるだけ小さくできるが、タービンスクロール室を高くできると、タービンハウジングに、軸受ハウジングの下端よりも高くなった段上がり部を形成することができるため、ボルトを段上がり部の箇所に臨ませることにより、ボルト（スタッドボルトの場合は及びナット）が軸受ハウジングの下端よりも下方にはみ出ることを防止又は抑制して、排気ターボ過給機のコンパクト化を促進できる利点がある。 
【図面の簡単な説明】
【００２５】
【図１】実施形態をシリンダヘッドの排気側面と直交した方向から見た正面図である。
【図２】触媒ケースの取り付き状態を示す部分正面図である。
【図３】排気ガスの排出方向と反対側から見た側面図である。
【図４】平面図である。
【図５】一部破断正面図である。
【発明を実施するための形態】
【００２６】
次に、本願発明を自動車用内燃機関の排気ターボ過給機に適用した実施形態を、図面に基づいて説明する。本実施形態について、正面図、側面図といった文言を使用しているが、正面図はシリンダヘッドの排気側面と直交した方向から見た図であり、側面図は、クランク軸線方向と同じ方向から見た図である。内燃機関については、クランク軸線を前後方向と呼ぶことが多いが、本実施形態の呼び方は、これとは異なっている。
【００２７】
(1).排気ターボ過給機の基本構造
例えば図１に示すように、排気ターボ過給機は、タービン翼（図示せず）が内蔵されたタービンハウジング１と、コンプレッサ翼（図示せず）が内蔵されたコンプレッサハウジング２と、両者の間に位置した軸受ハウジング（センターハウジング）３とを有している。タービン翼は、水平状に配置された回転軸（図示せず）の一端部に固定されて、コンプレッサ翼は回転軸の他端部に固定されており、回転軸は、軸受ハウジングに内蔵されたセミフローティング軸受によって回転自在に保持されている。各図において、回転軸の軸心を符号Ｏで表示している。
【００２８】
タービンハウジング１、軸受ハウジング３、コンプレッサハウジング２はそれぞれ鋳造品として別体に構成されている。タービンハウジング１と軸受ハウジング３とは、それらに設けた筒部同士が嵌合しており、図１，４に示すクランプ体４によって固定されている。すなわち、クランプ体４は側面視半円状の形態で上下に分割されており、その一端部同士がピン５（図４参照）によって回動可能に連結されていると共に、他端部同士が、スタッドボルト６及びナット７で引き寄せられるようになっており、ナット７の締め込みにより、タービンハウジング１と軸受ハウジング３の端部同士が締め付けられている。
【００２９】
コンプレッサハウジング２と軸受ハウジング３とは、その端面同士が互いに重なっており、両者は、周方向に点在したボルト８（図１参照）によって固定されている。なお、コンプレッサ翼の回転によって吸気を圧送するコンプレッサスクロール室は、軸受ハウジング３によって塞がれている。タービンハウジング１と軸受ハウジング３とは、一体に形成することが可能である。
【００３０】
軸受ハウジング３の内部には、フローティングメタルが遊嵌する軸受部を形成しており、この軸受部にオイルが連続的に供給されている。そこで、図４に示すように、軸受ハウジング３の上面にはオイル入り口９が開口している。他方、図１及び図３に示すように、軸受ハウジング３の下面には前後２本のスタッドボルト１０を突設しており、スタッドボルト１０を使用して、軸受ハウジング３の下面に、オイル排出用継ぎ手（図示せず）が固定されるようになっている。
【００３１】
図１や図５のとおり、コンプレッサハウジング２には、回転軸の軸心Ｏ１の方向に開口した吸気入口１１が開口している。吸気はコンプレッサスクロール室で加圧されて、コンプレッサスクロール室の接線方向に排出される。本実施形態では、図３，４に示すように、吸気出口１２は上向きに開口している。
【００３２】
図３に示すように、タービンハウジング１には、タービン翼を囲うタービンスクロール室１３が形成されており、排気ガスは、タービンスクロール室１３にその外周方向（接線方向）から流入して、回転軸の軸心Ｏ１の方向に排出される。従って、タービンハウジング１には、シリンダヘッド１４の排気側面１４ａと直交した方向に長い姿勢の排気ガス導入通路１５が一体に形成されて、排気ガス導入通路１５の先端に、シリンダヘッド１４に固定される上流フランジ１６が溶接によって固定されている。
【００３３】
タービンスクロール室１３を通過した排気ガスは、回転軸の軸心方向に排出される。従って、図３に示すように、タービンハウジング１には、回転軸の軸心Ｏ１の方向に開口した排気ガス排出口１７が開口している。
【００３４】
本実施形態の内燃機関は、シリンダヘッド１４の排気側面１４ａを車体前方に向けて姿勢で自動車のエンジンルームに配置されている。また、内燃機関は、シリンダボアを鉛直線に対して少し前傾させた姿勢になっている。このため、図３に示すように、シリンダヘッド１４の排気側面１４ａは、鉛直線Ｖに対して若干の角度θだけ前傾している。
【００３５】
そして、シリンダヘッド１４の排気側面１４ａと直交した垂線を基準線Ｏ２とすると、排気ガス導入通路１５は、シリンダヘッド１４から遠ざかるに従って基準線Ｏ２から高くなるように傾斜しており、これに伴って、タービンスクロール室１３の高さは、排気ガス導入通路１５が基準線Ｏ２と平行である場合に比べて高くなっている。
【００３６】
タービンハウジング１には、排気ガス導入通路１５と排気ガス排出口１７とに連通したウエストゲート通路１８（図３参照）が形成されており、ウエストゲート通路１８は図３に示すウエストゲートバルブ１９によって開閉される。ウエストゲートバルブ１９は、タービンハウジング１に回転自在に装着した支軸２０にアーム２１を介して固定されている。そして、例えば図１に示すように、支軸２０の露出部にリンク２２が固定されている一方、コンプレッサハウジング２には、吸気圧によってロッド２３が進退動するダイヤフラム式の制御装置２４が装着されており、ロッド２３の先端とリンク２２とがピン２５によって相対回動可能に連結されている。
【００３７】
タービンハウジング１には、排気ガス排出口１７の外側にはみ出した下流フランジ２６が一体に形成されており、下流フランジ２６に、図２に示すように触媒ケース２７が継ぎ手２８を介して固定されている。すなわち、触媒ケース２７に継ぎ手２８を設けたマニバータが、下流フランジ２６に接続されている。下流フランジ２６には４本のスタッドボルト２９が取り付けられており、スタッドボルト２９にナット（図示せず）をねじ込むことにより、継ぎ手２８が下流フランジ２６に固定される。
【００３８】
(2).上流フランジ
図５に明示するように、上流フランジ１６は、おおまかには、正面視で上２つ下１つの３つの頂点部３１，３２，３３を持つ逆三角形状に形成されており、左右の２つの辺３４，３５が正面視で凸形に屈曲していることにより、全体として５角形に近い形になっている。
【００３９】
そして、３つの頂点部３１〜３３のうち、上側の一方の頂点部３１は軸受ハウジング３の上方に位置していて、これに上側インサイドボルト挿通穴３６が開口している。また、上側の他方の頂点部３２は、タービンハウジング１を挟んで軸受ハウジング３と反対側に位置していて、これに、上側アウトサイドボルト挿通穴３７が開口している。更に、下側の１つの頂点部３３は、タービンハウジング１の下面に形成された段上がり部３８の箇所に位置していて、これに下側ボルト挿通穴３９が開口している。
【００４０】
既述のとおり、排気ガス導入通路１５が上向きに傾斜していることによってタービンスクロール室１３が高くなっているため、タービンハウジング１の下面に段上がり部３８を形成することができる。従って、下側ボルト挿通穴３９を段上がり部３８の箇所に位置させることにより、上流フランジ１６の下端の高さを、ほぼタービンハウジング１及び軸受ハウジング３の下端と同じ高さに揃えることができる。従って、排気ターボ過給機を全体としてコンパクト化することができる。
【００４１】
図３に示すように、シリンダヘッド１４の排気側面１４ａには、上流フランジ１６のボルト挿通穴３６，３７，３９に対応したスタッドボルト４０が取り付けられており、スタッドボルト４０にナット４１をねじ込むことにより、上流フランジ１６がシリンダヘッド１４に固定される。なお、上流フランジ１６とシリンダヘッド１４との間にはガスケットが挟み込まれている。図１において符号４２で示すのはシリンダブロック、符号４３で示すのはヘッドカバーである。
【００４２】
図５に明示するように、シリンダヘッド１４の排気ガス出口４４は水平方向に長い小判形になっている。従って、排気ガス導入通路１５の基端部も横長の小判形になっているが、排気ガス導入通路１５は、シリンダヘッド１４から遠ざかるに従って円形に形を変えている（タービンスクロール室１３の断面は、概ね円形になっている。）。
【００４３】
図５のとおり、上側アウトサイドボルト挿通穴３７は、排気ガス出口４４よりも高い位置に形成されている。従って、上側アウトサイドボルト挿通穴３７に対応したスタッドボルト４０は、シリンダヘッド１４の排気ガス集合通路に干渉することなく必要な深さにねじ込むことができる。
【００４４】
図３に示すように、シリンダヘッド１４の排気ガス出口４４の中心を通る基準線Ｏ２は、回転軸の軸心Ｏ１よりも僅かの寸法Ｅだけ高くなっている。このため、タービンハウジング１の下面に段上がり部３８を形成することが可能になっている。なお、回転軸の軸心Ｏ１は、排気ガス出口４４の中心を通る基準線Ｏ２と同じ高さであるか又は高い高さであってもよい。
【００４５】
図４では、平面視での排気ガス出口４４の中心線Ｏ３と、平面視でのタービンスクロール室１３の中心線Ｏ４とを表示しているが、この対比から理解できるように、Ｏ４はＯ３に対して軸受ハウジング３の側に寄っている。従って、排気ガス導入通路１５は、シリンダヘッド１４から遠ざかりながら軸受ハウジング３の側にずれていきつつ、断面は円形にら変化している。
【００４６】
シリンダヘッド１４の排気ガス出口４４が水平方向に長い小判形になっているのは、シリンダヘッド１４の内部に形成した集合通路に排気ガスが滞留することを防止して、排気ガスの排出を容易にするためであるが、結果としては、排気ガス導入通路１５は、タービンスクロール室１３に向けて断面積が小さくなっている。従って、排気ガスの流速はタービンスクロール室１３において速くなっており、その結果、タービン翼の駆動効率が高くなっている。
【００４７】
以上のとおり、上流フランジ１６は、上２箇所、下１箇所においてボルト４０及びナット４１で固定されるため、排気ターボ過給機のモーメントを的確に支持できる。また、２つの上側ボルト挿通穴３６，３７はタービンハウジング１を挟んだ両側に位置しているため、排気ターボ過給機が振動によって排気ガス導入通路１５の軸心回りに回動するような作用を受けても、スタッドボルト４０の取り付け箇所に大きな応力が集中することはなくて、高い支持強度を保持できる。
【００４８】
上側アウトサイドボルト挿通穴３７はタービンハウジング１の外側に位置しているため、タービンハウジング１の形状は任意に設定できる。従って、設計の自由性を向上できて汎用性に優れている。なお、排気ターボ過給機をシリンダヘッド１４に固定してから、排気ターボ過給機に触媒ケース２７が固定される。上流フランジ１６は、タービンハウジング１を鋳造するに際して一体に形成することも可能である。
【００４９】
タービンハウジング１や軸受ハウジング３に冷却水ジャケットを設ける場合、冷却水は下から上に向けて流れるように設定しており、従って、上流フランジ１６の下部が２本のボルトで締結されていると、冷却水入り口に接続されたホースが左右２本のボルトで挟まれた状態になって、ボルト４０及びナット４１からホースが受ける熱量が大きくなることが有り得るが、本実施形態では、上流フランジ１６の下部は１本のボルト４０及びナット４１で締結されているため、既述のとおり、ホースがボルト４０の近くにあっても受ける熱量は少なく、従って、ホースが熱害を受けることを抑制できる。
【００５０】
特に、本実施形態では、ボルト４０及びナット４１はタービンハウジングの段上がり部３８に隠れた状態になるため、いわばタービンハウジング1がホースに対する遮蔽機能を発揮して、ホースがボルト４０及びナット４１から輻射熱を受けることを大幅に抑制可能できる。この点も、本実施形態の利点の一つである。
【００５１】
なお、上流フランジ１６を上部において締結する左右２本のボルト４０はタービンハウジング１で遮られているため、タービンハウジング１や軸受ハウジング３の上部に接続されたホースは、１本のボルト４０（及びナット４１）からしか輻射熱は受けない。従って、上部のホースが大きな熱害を受けることもない。
【００５２】
本実施形態では、上流フランジ１６の上面は、上側アウトサイドボルト挿通穴３７の箇所が低くなるように傾斜しているため、例えば、オイル交換に際してオイルが上流フランジ１６の上面に垂れ落ちても、オイルは上流フランジ１６の上面に溜まることなく下方に垂れ落ちる。従って、運転時にオイルが焦げて煙を発するような不具合を防止できる。特に、実施形態のように内燃機関が前傾状にスラントしていると、オイルの垂れ落ちが促進されるため、オイルの溜まりを的確に防止できる。
【産業上の利用可能性】
【００５３】
本願発明は、内燃機関の排気ターボ過給機に具体化できる。従って、産業上利用できる。
【符号の説明】
【００５４】
１  タービンハウジング
２  コンプレッサハウジング
３  軸受ハウジング
１１  コンプレッサハウジングの吸気入口
１２  コンプレッサハウジングの吸気出口
１３  タービンスクロール室
１４  シリンダヘッド
１４ａ  排気側面
１５  排気ガス導入通路
１６  上流フランジ
１７  排気ガス排出口
１９  ウエストゲートバルブ
２７  触媒ケース
３１，３２，３３  上流フランジの頂点部
３６  上側インサイドボルト挿通穴
３７  上側アウトサイドボルト挿通穴
３８  タービンハウジングの下面の段上がり部
３９  下側ボルト挿通穴
４０  スタッドボルト
４１  ナット
４４  シリンダヘッドの排気ガス出口
【図１】
2020197154.tif 000003
【図２】
2020197154.tif 000004
【図３】
2020197154.tif 000005
【図４】
2020197154.tif 000006
【図５】
2020197154.tif 000007